(57)【要約】【課題】空気と接触することにより変質する物質の容器を一旦開封した後、再密封する際に、該容器に容易に不活性気体を注入することができ、再密封後の該物質の変質を防止することができる容器の再密封方法を提供する。【解決手段】一旦開封された容器２内に収容された物質１の上方に、携帯可能な小型ボンベ７から不活性ガスを封入した後、容器２を密封する。前記不活性ガスは、代替フロンである。物質１は、空気中の水分と反応して硬化する樹脂を含む接着剤である。【選択図】  図２
2006347591.tif 000002
【特許請求の範囲】
【請求項１】
空気と接触することにより変質する物質の容器を一旦開封した後、再密封する方法であって、
一旦開封された該容器内に収容された該物質の上方に、携帯可能な小型ボンベから不活性ガスを封入した後、該容器を密封することを特徴とする容器の再密封方法。
【請求項２】
前記不活性ガスは、代替フロンであることを特徴とする請求項１記載の容器の再密封方法。
【請求項３】
前記物質は、空気中の水分と反応して硬化する樹脂を含む接着剤であることを特徴とする請求項１または請求項２記載の容器の再密封方法。
【発明の詳細な説明】
【技術分野】
【０００１】
本発明は、水分と反応して硬化する樹脂を含む接着剤等の空気と接触することにより変質する物質の容器を一旦開封した後、再密封する方法に関するものである。
【背景技術】
【０００２】
従来、水分と反応して硬化する樹脂（以下、水硬性樹脂と略記することがある）、食品、飲料等の空気と接触することにより変質する物質を金属缶等の容器に密封して保存する際に、該容器内における該物質の上方の空間（以下、ヘッドスペースと略記することがある）に乾燥窒素、乾燥空気等の不活性気体を封入して、該物質の変質を防止することが知られている（例えば特許文献１参照）。
【０００３】
前記水硬性樹脂を含む接着剤は、集成材、家具等の木質材料の接着のために使用されており、木工場、建築現場等では一旦容器を開封して使用した後、残部がある場合には該容器を再密封して保存し、再使用に供することが行われている。ところが、前記容器では、一旦開封すると、前記ヘッドスペースに封入されている不活性気体が揮散してしまい、空気に置換されてしまうため、再使用しようとするときには前記樹脂が空気中の水分と反応して硬化してしまっており、使用できないことが多い。
【０００４】
そこで、前記水硬性樹脂を含む接着剤の容器を一旦開封した後、該接着剤の残部がある場合、該容器を再密封する際に該容器のヘッドスペースに不活性気体を封入することが考えられる。前記不活性気体は、乾燥窒素の場合には、気体または液体の状態で高圧ボンベに保管されているものが用いられ、乾燥空気の場合には、冷却脱水装置、シリカゲルまたはゼオライト等の乾燥剤を用いる脱水装置等により製造されたものが用いられる。
【０００５】
しかしながら、小規模な木工場や建築現場では、前記高圧ボンべや、乾燥空気を製造する設備を備えていないことが多く、前記不活性気体を入手すること自体が困難であるという不都合がある。
【特許文献１】特開２００４−５９０１６号公報
【発明の開示】
【発明が解決しようとする課題】
【０００６】
本発明は、かかる不都合を解消して、空気と接触することにより変質する物質の容器を一旦開封した後、再密封する際に、該容器に容易に不活性気体を注入することができ、再密封後の該物質の変質を防止することができる容器の再密封方法を提供することを目的とする。
【課題を解決するための手段】
【０００７】
かかる目的を達成するために、本発明は、空気と接触することにより変質する物質の容器を一旦開封した後、再密封する方法であって、一旦開封された該容器内に収容された該物質の上方に、携帯可能な小型ボンベから不活性ガスを封入した後、該容器を密封することを特徴とする。
【０００８】
本発明では、空気と接触することにより変質する物質の容器を一旦開封した後、再密封する際には、該容器内に収容されている該物質の上方に、携帯可能な小型ボンベから不活性ガスを封入する。そして、前記不活性ガスが封入された容器を密封する。従って、本発明によれば、前記容器に収容された前記物質が空気と接触することを防止して、後日、該容器を開封したときには最初に開封したときと同様に使用することができる。
【０００９】
前記携帯可能な小型ボンベとしては、近年、ジメチルエーテル、ＬＰＧ、代替フロン等の低圧で容易に液化するものを充填したものが市販されているので、これを利用することができる。但し、ジメチルエーテル、ＬＰＧは可燃性が高いため、比較的可燃性の低い代替フロンを用いることが好ましい。前記代替フロンとしては、ＣＦ３ＣＦ２Ｈ（ＨＦＣ１３４ａ）、ＣＦ３ＣＦＨ２（ＨＦＣ１５２ａ）等を挙げることができる。
【００１０】
本発明の方法は、例えば、空気と接触することにより変質する物質が、空気中の水分と反応して硬化する樹脂を含む接着剤である場合に好適に用いることができる。
【発明を実施するための最良の形態】
【００１１】
次に、添付の図面を参照しながら本発明の実施の形態についてさらに詳しく説明する。図１は接着剤の容器を示す説明的断面図であり、図２は図１に示す容器に本実施形態の方法を適用する状態を示す説明的断面図である。
【００１２】
本実施形態の方法は、水分と反応して硬化する樹脂（水硬性樹脂）を含む接着剤を収容する金属缶等の容器に用いる。
【００１３】
前記水硬性樹脂としては、例えば、イソシアネート基を備える反応性ウレタン樹脂、アルキルシロキサン基を備える反応性シリコン樹脂、反応性シリコン樹脂による反応性を備える樹脂、オキサゾリジン基を備える樹脂、ケチミンの反応を利用する樹脂等を挙げることができる。
【００１４】
図１に示すように、前記水硬性樹脂を含む接着剤１は、例えば金属缶２に収容されている。金属缶２は、広口の開口部３を備える有底筒状の缶体４と、開口部３に嵌合される缶蓋５とからなり、缶体４に収容された接着剤１の上方にはヘッドスペース６がある。金属缶２では、工場出荷時には、ヘッドスペース６に乾燥空気または乾燥窒素等の不活性気体が封入されており、保管中に接着剤１が水分と反応して硬化することがないようにされている。
【００１５】
接着剤１は、木工場、建築現場等で、缶蓋５を開き、開口部３から適当量を取り出して使用される。このとき、一般には、缶体４に収容されている接着剤１を一度で使い切ることはなく、一部の接着剤１が缶体４内に残される。
【００１６】
缶体４内に残された接着剤１を、後日使用するためには、接着剤１が水分と反応しない状態にして保管する必要がある。ところが、金属缶２では一旦開封してしまうと、ヘッドスペース６に封入されていた前記不活性気体が揮散して、空気と置換してしまうので、そのまま缶蓋５を閉蓋したのでは接着剤１がヘッドスペース６内の空気に接触してしまい、空気中の水分による接着剤１の硬化が避けられない。
【００１７】
そこで、本実施形態の方法では、図２に示すように、接着剤１の残部が収容されている缶体４の開口部３に缶蓋５をあてがって半開きにした状態で、携帯可能な小型ボンベ７からヘッドスペース６に不活性気体を封入する。
【００１８】
前記小型ボンベ７は、例えばエアゾール缶にＣＦ３ＣＦ２Ｈ（ＨＦＣ１３４ａ）、ＣＦ３ＣＦＨ２（ＨＦＣ１５２ａ）等の代替フロンを充填したものを用いることができる。前記小型ボンベ７は、通常、前記代替フロンを噴出させることにより、機械の隙間、パソコンのキーボードの隙間等にたまった埃を吹き出す用途に用いられている。このため、前記小型ボンベ７は、前記代替フロンを噴出する管状ノズル８を備えており、頂部に設けられたレバー９を操作することにより、管状ノズル８から該代替フロンを噴出する構造となっている。
【００１９】
このような小型ボンベ７は、例えば、サンワサプライ株式会社から販売されているエアダスター（商品名）、ロアス株式会社から販売されているエアブロアー（商品名）等の市販品を用いることができる。前記市販品は、安価であり、使い捨てができるので、経済的に有利である。
【００２０】
前記小型ボンベ７によれば、ヘッドスペース６に前記不活性気体として前記代替フロンを封入する操作は、小型ボンベ７の管状ノズル８を缶体４内に挿入して、レバー９を操作することにより行うことができる。このようにすると、缶体４内の接着剤１の直上に噴射された前記代替フロンが次第にヘッドスペース６内に充満することにより、上方の空気が追い出され、ヘッドスペース６内の空気を代替フロンで置換することができる。前記代替フロンに追い出された空気は、前記のように半開きになっている開口部３のノズル８の周囲から外部に放出される。
【００２１】
前記代替フロンの封入量は、レバー９を操作する時間により調整することができ、ヘッドスペース６内の空気と十分に置換することができる量とすることが好ましい。ところが、ヘッドスペース６の容量は、接着剤１の残量によって変わってくる。
【００２２】
そこで、例えば、接着剤１の残量が当初の３／４であれば５秒、１／２であれば１０秒、１／４であれば１５秒というように、接着剤１の残量が少なくなるほどレバー９を操作する時間を長く設定することが好ましい。尚、前記レバー９を操作する時間は、缶体４の容量、小型ボンベ７から前記代替フロンを噴出する際の単位時間当たりの噴出量等により、適宜調整することができる。
【００２３】
前述の操作によりヘッドスペース６内の空気が前記代替フロンで置換されたならば、缶蓋５を開口部３に嵌合して閉蓋することにより、缶体４を密封する。本実施形態の方法によれば、一旦開封された金属缶２であっても、ヘッドスペース６には前記代替フロンが封入されているので、保管中に接着剤１が水分と反応して硬化することを防止することができ、後日、金属缶２を開封したときには、最初に開封したときと同一の状態で接着剤１を使用することができる。
【００２４】
尚、図２には、レバー９を操作することにより代替フロンを噴出する小型ボンベ７を示しているが、小型ボンベ７はレバー９に代えて頂部に押しボタンを供え、該押しボタンを操作することにより、該代替フロンを噴出するものであってもよい。
【００２５】
また、小型ボンベ７は缶体４内の接着剤１の直上に前記代替フロンを噴射することができるので管状ノズル８を備えていることが望ましいが、缶体４内に該代替フロンを噴射することができるものであれば管状ノズル８を備えていなくてもよい。
【図面の簡単な説明】
【００２６】
【図１】接着剤の容器の一例を示す説明的断面図。
【図２】図１に示す容器に本実施形態の方法を適用する状態を示す説明的断面図。
【符号の説明】
【００２７】
１…空気と接触することにより変質する物質、  ２…容器、  ７…小型ボンベ。
【図１】
2006347591.tif 000003
【図２】
2006347591.tif 000004